(57)【要約】【課題】ユーザーが表示画像に違和感を抱くことなく表示画面の焼き付きを防止することが可能な表示装置を提供することを目的とする。【解決手段】本発明の表示装置は、表示画面に表示された映像信号の焼付きを防止するための表示装置であって、映像信号を検出する映像検出部と、所定タイミングで表示画面に表示された映像信号の焼付きの可能性を判断する制御部と、制御部からの指示に応じて、映像信号の表示位置を調整する映像制御部と、表示位置が調整された映像信号を表示画面に表示する映像表示部と、を備え、制御部は、表示画面において映像信号が表示されていない領域を判別し、映像信号に映像欠けが発生しないように、領域に応じて映像信号の上下左右の移動量を算出する、ことを特徴とする。【選択図】図１
2013024954.tif 000002
【特許請求の範囲】
【請求項１】
表示画面に表示された映像信号の焼付きを防止するための表示装置であって、
前記映像信号を検出する映像検出部と、
所定タイミングで前記表示画面に表示された映像信号の焼付きの可能性を判断する制御部と、
前記制御部からの指示に応じて、前記映像信号の表示位置を調整する映像制御部と、
前記表示位置が調整された映像信号を前記表示画面に表示する映像表示部と、を備え、
前記制御部は、前記表示画面において前記映像信号が表示されていない領域を判別し、前記映像信号に映像欠けが発生しないように、前記領域に応じて前記映像信号の上下左右の移動量を算出する、
ことを特徴とする表示装置。
【請求項２】
前記制御部は、前記映像制御部に前記映像信号の表示位置を移動させる場合に、所定の表示位置の移動前輝度と移動後輝度とを比較し、輝度が異なると判断した場合は、移動後の表示位置に表示された映像信号を移動前の表示位置に挿入させる、ことを特徴とする請求項１に記載の表示装置。
【発明の詳細な説明】
【技術分野】
【０００１】
本発明は、表示画面の焼き付きを防止する表示装置に関する。
【背景技術】
【０００２】
プラズマディスプレイパネルなど蛍光体の励起に伴う発光現象を利用して表示を行う表示装置において、長時間連続して静止画像を表示し続けると、蛍光体が劣化していわゆる焼き付けを起こす。このような焼き付けを防止すべく、一定時間毎に表示位置を移動する焼付防止方法があるが、移動によって、ユーザーに必要な情報が欠如したり黒い帯が見えてしまう場合があり、事前に欠如する領域を表示する方法が提案された（例えば、特許文献１参照）。
【先行技術文献】
【特許文献】
【０００３】
【特許文献１】特開２００１−１００７２０号公報
【発明の概要】
【発明が解決しようとする課題】
【０００４】
しかしながら、上記従来の特許文献１記載の事前に欠如する領域を表示する方法では、事前に欠如する領域を知ることができたとしても、焼付防止時の画面位置移動により領域は欠如してしまい、ユーザーに違和感を与えてしまうという問題があった。
【０００５】
本発明は、かかる問題を解決すべく為されたものであり、ユーザーが表示画像に違和感を抱くことなく表示画面の焼き付きを防止することが可能な表示装置を提供することを目的とする。
【課題を解決するための手段】
【０００６】
本発明は、入力映像信号に対応した画像を表示する表示画面において、一定時間毎に上下左右の断面映像が画面境界から一定であるかどうかを検出し、一定でなくなる移動量または最大移動量に達するまで画面移動を行う。
【発明の効果】
【０００７】
本発明によれば、ユーザーに画面欠けや黒い帯による違和感を与えずに表示画面を移動して、表示画面の焼付防止を行うことができる。
【図面の簡単な説明】
【０００８】
【図１】本発明の実施の形態１における表示装置の構成を示すブロック図
【図２】本発明の実施の形態１における表示装置の移動範囲の算出の全体イメージ図
【図３】本発明の実施の形態１における表示装置の上方向移動量の算出を示す図
【図４】本発明の実施の形態１における表示装置の下方向移動量の算出を示す図
【図５】本発明の実施の形態１における表示装置の左方向移動量の算出を示す図
【図６】本発明の実施の形態１における表示装置の右方向移動量の算出を示す図
【図７】本発明の実施の形態１における表示装置の上方向移動量算出処理を示すフローチャート
【図８】本発明の実施の形態１における表示装置の下方向移動量算出処理を示すフローチャート
【図９】本発明の実施の形態１における表示装置の左方向移動量算出処理を示すフローチャート
【図１０】本発明の実施の形態１における表示装置の右方向移動量算出処理を示すフローチャート
【図１１】本発明の実施の形態１における表示装置のライン挿入処理のイメージ図
【図１２】本発明の実施の形態１における表示装置のドット挿入処理のイメージ図
【図１３】本発明の実施の形態１における表示装置のライン挿入処理を示すフローチャート
【図１４】本発明の実施の形態１における表示装置のドット挿入処理を示すフローチャート
【発明を実施するための形態】
【０００９】
以下、本発明を実施するための形態について、図面を参照しながら説明する。
【００１０】
（実施の形態１）
図１は、本発明の実施の形態１における表示装置の構成を示すブロック図である。図１に示すように、表示装置１００は、制御部１１０と、タイマー部１１１と、ライン輝度検出部１２１および水平ドット輝度検出部１２２を有する映像検出部１２０と、映像制御部１３０と、映像合成部１４０と、映像表示部１５０から構成される。
【００１１】
制御部１１０は、映像検出部１２０のライン輝度検出部１２１および水平ドット輝度検出部１２２を用いて、表示画面の上下左右から変化しない映像領域を判別し、中心表示位置を基準に各方向の最大移動量を算出する（移動量算出処理）。ここで断面映像とは表示画面における、最外周にあたる水平ラインまたは垂直ドットである。具体的な算出方法については、後ほど図３から図１０に示す移動量算出処理を用いて詳述する。
【００１２】
映像制御部１３０は、制御部１１０からの指示に応じて、受信部（図示せず）で受信した放送信号に含まれる映像信号、またはネットワークに接続された外部信号入力部（図示せず）から入力された映像信号の表示位置や表示サイズを制御して映像合成部１４０へ出力する。映像合成部１４０は、制御部１１０からの指示に応じて、映像信号を合成して映像表示部１５０へ出力する。映像表示部１５０は、映像合成部１４０から入力された合成された信号をプラズマディスプレイ等の表示画面に表示する。
【００１３】
図２は、本発明の実施の形態１における表示装置の移動範囲算出の全体イメージ図である。本実施の形態では、Ｗｉｎｄｏｗｓ（登録商標）の表示画面などの断面映像から画面境界まで一定量ある静止画または動画を表示した表示画面を想定し、断面映像から画面境界までの最大移動量、または各断面から境界までの輝度の変化が一定許容範囲を越える変化を検出する手前のラインや水平ドットを移動範囲として設定する。図２では、中心から左方向への移動量をａ、右方向への移動量をｂ、上方法への移動量をｃ、下方向への移動量ｄとし、時計回りロの字型に移動をするとする。なお、図２では、時計回りのロの字移動として記載しているが、移動形態、移動方向は任意の方向に移動させてもよい。
【００１４】
図３から図６は、本発明の実施の形態１における表示装置１００の表示画面が１９２０×１０８０、最大移動量が１０の場合における各移動量の算出を示す図である。
【００１５】
図３では、上方向の移動量算出のため、基準となるライン１の輝度を取得し、最大移動量を越えるまたは、輝度が所定の範囲を越える変化を検出するまで比較を繰り返し行う。図３では、ライン１から５まで輝度変化がなく、ライン６にて所定の範囲を超える変化を検出したため、上方向の移動量は５となる。
【００１６】
図４では、下方向の移動量算出のため、基準となるライン１０８０の輝度を取得し、最大移動量を越えるまたは、輝度が所定の範囲を越える変化を検出するまでラインをさかのぼる方向へ比較を繰り返し行う。図４では、ライン１０８０から１０７７まで輝度変化がなく、ライン１０７６にて所定の範囲を超える変化を検出したため、下方向の移動量は４となる。
【００１７】
図５では、左方向の移動量算出のため、基準となるライン１からライン１０の水平１ドットの積分輝度を取得し、最大移動量を越えるまたは、積分輝度が所定の範囲を越える変化を検出するまで水平ドット移動しながら比較を繰り返し行う。図５では、１ドットから４ドットまで輝度変化がなく、５ドットにて所定の範囲を超える変化を検出したため、左方向の移動量は４となる。
【００１８】
図６では、右方向の移動量算出のため、基準となるライン１からライン１０の水平１９２０ドットの積分輝度を取得し、最大移動量を越えるまたは、ライン１からライン１０の積分輝度が所定の範囲を越える変化を検出するまで水平ドットをさかのぼる方向へ比較を繰り返し行う。図６では、１９２０ドットから最大移動量を越えても積分輝度の変化を検出しないため、最大移動量１０が右方向の移動量となる。
【００１９】
上記の処理について図７から図１０を用いて詳述する。図７から図１０は、本発明の実施の形態１における表示装置１００の移動量算出処理を示すフローチャートである。
【００２０】
図７は、上方向移動量算出処理を示すフローチャートである。ステップＳ７１において、基準ライン輝度（Ｂ）として、オフセット（Ｎ＝初期値１）で示すラインの輝度を設定する。ステップＳ７２において、オフセット（Ｎ）が最大移動量（ＭＡＸ）か否かの比較を行い、最大移動量以下と判断した場合（ステップＳ７２で「Ｙｅｓ」）、ステップＳ７３において、オフセット（Ｎ）で示すラインの輝度を比較対象ライン輝度（Ｃ）に設定する。そして、ステップＳ７４において、基準ライン輝度（Ｂ）と比較対象ライン輝度（Ｃ）の比較を行い、基準ライン輝度（Ｂ）と比較対象ライン輝度（Ｃ）が同一と判断された場合（ステップＳ７４で「Ｎｏ」）、ステップＳ７５において、オフセット（Ｎ）のインクリメントを行う。一方、ステップＳ７４にて基準ライン輝度（Ｂ）と比較対象ライン輝度（Ｃ）が異なると判断された場合（ステップＳ７４で「Ｙｅｓ」）またはステップＳ７２においてオフセット（Ｎ）が最大移動量より大きいと判断した場合（ステップＳ７２で「Ｎｏ」）、ステップＳ７６において上方向への移動量（ＵＭ）をＮ−１と設定する。
【００２１】
図８は、下方向移動量算出処理を示すフローチャートである。ステップＳ８１において、基準ライン輝度（Ｂ）として、最終ライン（Ｅ）の輝度を設定する。ステップＳ８２において、オフセット（Ｎ＝初期値０）が最大移動量（ＭＡＸ）か否かの比較を行い、最大移動量未満と判断した場合（ステップＳ８２で「Ｙｅｓ」）、ステップＳ８３において、最終ライン（Ｅ）からオフセット（Ｎ）を引いたラインの輝度を比較対象ライン輝度（Ｃ）に設定する。そして、ステップＳ８４において、基準ライン輝度（Ｂ）と比較対象ライン輝度（Ｃ）の比較を行い、基準ライン輝度（Ｂ）と比較対象ライン輝度（Ｃ）が同一と判断された場合（ステップＳ８４で「Ｎｏ」）、ステップＳ８５において、オフセット（Ｎ）のインクリメントを行う。ステップＳ８４にて基準ライン輝度（Ｂ）と比較対象ライン輝度（Ｃ）が異なると判断された場合（ステップＳ８４で「Ｙｅｓ」）またはステップＳ８２においてオフセット（Ｎ）が最大移動量以上と判断した場合（ステップＳ８２で「Ｎｏ」）、ステップＳ８６において下方向への移動量（ＤＭ）をＮと設定する。
【００２２】
図９は、左方向移動量算出処理を示すフローチャートである。ステップＳ９１において、基準ドット輝度（Ｂ）として、オフセット（Ｎ＝初期値１）で示すドットの輝度を設定する。ステップＳ９２において、オフセット（Ｎ）が最大移動量（ＭＡＸ）か否かの比較を行い、最大移動量以下と判断した場合（ステップＳ９２で「Ｙｅｓ」）、ステップＳ９３において、オフセット（Ｎ）で示すドットの輝度を比較対象ドット輝度（Ｃ）に設定する。ステップＳ９４において、基準ドット輝度（Ｂ）と比較対象ドット輝度（Ｃ）の比較を行い、基準ドット輝度（Ｂ）と比較対象ドット輝度（Ｃ）が同一と判断された場合（ステップＳ９４で「Ｎｏ」）、ステップＳ９５において、オフセット（Ｎ）のインクリメントを行う。ステップＳ９４にて基準ドット輝度（Ｂ）と比較対象ドット輝度（Ｃ）が異なると判断された場合（ステップＳ９４で「Ｙｅｓ」）または、ステップＳ９２においてオフセット（Ｎ）が最大移動量より大きいと判断した場合（ステップＳ９２で「Ｎｏ」）、ステップＳ９６において左方向への移動量（ＬＭ）をＮ−１と設定する。
【００２３】
図１０は、右方向移動量算出処理を示すフローチャートである。ステップＳ１０１において、基準ドット輝度（Ｂ）として、最終ドット（Ｅ）の輝度を設定する。ステップＳ１０２において、オフセット（Ｎ＝初期値０）が最大移動量（ＭＡＸ）か否かの比較を行い、最大移動量未満と判断した場合（ステップＳ１０２で「Ｙｅｓ」）、ステップＳ１０３において、最終ドット（Ｅ）からオフセット（Ｎ）を引いたラインの輝度を比較対象ドット輝度（Ｃ）に設定する。ステップＳ１０４において、基準ドット輝度（Ｂ）と比較対象ドット輝度（Ｃ）の比較を行い、基準ドット輝度（Ｂ）と比較対象ドット輝度（Ｃ）が同一と判断された場合（ステップＳ１０４で「Ｎｏ」）、ステップＳ１０５において、オフセット（Ｎ）のインクリメントを行う。ステップＳ１０４にて基準ドット輝度（Ｂ）と比較対象ドット輝度（Ｃ）が異なると判断された場合（ステップＳ１０４で「Ｙｅｓ」）または、ステップＳ１０２においてオフセット（Ｎ）が最大移動量以上と判断した場合（ステップＳ１０２で「Ｎｏ」）、ステップＳ１０６において右方向への移動量（ＲＭ）をＮと設定する。
【００２４】
図１１は本発明の実施の形態１における表示装置１００のライン挿入処理のイメージ図である。本実施の形態では、下方向へ画面位置を移動したときに移動前のライン（ライン１）がブランキング部分（映像ではない）になる場合、移動後のライン（ライン２）の映像を挿入し映像欠けが見えないように処理を行う。ライン挿入処理は、制御部１１０がライン輝度検出部１２１及び映像制御部１３０を制御して実行する。
【００２５】
図１２は本発明の実施の形態１における表示装置１００のドット挿入処理のイメージ図である。本実施の形態では、左方向へ画面位置を移動したときに移動前のドット（ドット１９２０）がブランキング部分（映像ではない）になる場合、移動後のドット（ドット１９１９）の映像を挿入し映像欠けが見えないように処理を行う。ドット挿入処理は、制御部１１０が水平ドット輝度検出部１２２及び映像制御部１３０を制御して実行する。
【００２６】
上記の処理について図１３、図１４を用いて詳述する。図１３、図１４は、本発明の実施の形態１における表示装置１００の映像挿入処理を示すフローチャートである。
【００２７】
図１３は、下方向移動時のライン挿入処理を示すフローチャートである。ステップＳ１３１において、基準輝度（Ｂ）として、画面位置移動前のライン１の輝度を設定する。ステップＳ１３２において、比較輝度（Ｃ）として、画面位置移動後のライン１の輝度を設定する。ステップＳ１３３において、基準輝度（Ｂ）と比較輝度（Ｃ）の比較を行い、基準輝度（Ｂ）と比較輝度（Ｃ）が異なると判断された場合（ステップＳ１３３で「Ｎｏ」）、ステップＳ１３４において、ライン２の映像をライン１の映像に合成する。
【００２８】
図１４は、左方向移動時のドット挿入処理を示すフローチャートである。ステップＳ１４１において、基準輝度（Ｂ）として、画面位置移動前の最終ドットの輝度を設定する。ステップＳ１４２において、比較輝度（Ｃ）として、画面位置移動後の最終ドットの輝度を設定する。ステップＳ１４３において、基準輝度（Ｂ）と比較輝度（Ｃ）の比較を行い、基準輝度（Ｂ）と比較輝度（Ｃ）が異なると判断された場合（ステップＳ１４３で「Ｎｏ」）、ステップＳ１４４において、最終ドットの前のドット（Ｅ−１）の映像を最終ドット（Ｅ）の映像に合成する。
【産業上の利用可能性】
【００２９】
本発明によれば、ユーザーに違和感を与えることなく画面焼付防止のための画面表示位置移動を行うことができるので、プラズマディプレイパネル等の表示画面が焼付く可能性のあるすべての表示装置に有用である。
【符号の説明】
【００３０】
１００    表示装置
１１０    制御部
１１１    タイマー部
１２０    映像検出部
１２１    ライン輝度検出部
１２２    水平ドット輝度検出部
１３０    映像制御部
１４０    映像合成部
１５０    映像表示部
【図１】
2013024954.tif 000003
【図２】
2013024954.tif 000004
【図３】
2013024954.tif 000005
【図４】
2013024954.tif 000006
【図５】
2013024954.tif 000007
【図６】
2013024954.tif 000008
【図７】
2013024954.tif 000009
【図８】
2013024954.tif 000010
【図９】
2013024954.tif 000011
【図１０】
2013024954.tif 000012
【図１１】
2013024954.tif 000013
【図１２】
2013024954.tif 000014
【図１３】
2013024954.tif 000015
【図１４】
2013024954.tif 000016